(57)【要約】      （修正有）【課題】使用者が後ろにもたれかかっても背もたれの最大傾斜時に使用者が背もたれから衝撃をほとんど受けないようにすることを図った椅子を提供することである。【解決手段】椅子１は、座部１０と、背もたれ２０と、座部１０に対する背もたれ２０の傾斜に応じて縮む第１のコイルばね１１０および第２のコイルばね１２０と、を有する。第２のコイルばね１２０は第１のコイルばね１１０の内部に配置されている。背もたれ２０が第１の傾斜角で後方に倒れている場合に、第１のコイルばね１１０および第２のコイルばね１２０の一方が背もたれ２０を支持し、背もたれ２０が第２の傾斜角で後方に倒れている場合に、第１のコイルばね１１０および第２のコイルばね１２０の両方が背もたれ２０を支持する。第２の傾斜角の背もたれ２０は、第１の傾斜角の背もたれ２０よりも後方に倒れている位置にある。【選択図】図１
2019097631.tif 000002
【特許請求の範囲】
【請求項１】
座部と後方に倒れることが可能な背もたれとを有する椅子において、
前記座部に対する前記背もたれの傾斜に応じて縮む第１のコイルばねおよび第２のコイルばねを有し、
前記第２のコイルばねは前記第１のコイルばねの内部に配置されており、
前記背もたれが第１の傾斜角で後方に倒れている場合に、
前記第１のコイルばねおよび前記第２のコイルばねの一方が前記背もたれを支持し、
前記背もたれが第２の傾斜角で後方に倒れている場合に、
前記第１のコイルばねおよび前記第２のコイルばねの両方が前記背もたれを支持し、
前記第２の傾斜角の前記背もたれは、前記第１の傾斜角の前記背もたれよりも後方に倒れている位置にあること
を特徴とする椅子。
【請求項２】
請求項１に記載の椅子において、
前記背もたれの最大傾斜角で前記背もたれを支持するストッパーを有すること
を特徴とする椅子。
【発明の詳細な説明】
【技術分野】
【０００１】
本明細書の技術分野は、荷重がかかることにより背もたれが後方に倒れる椅子に関する。
【背景技術】
【０００２】
椅子には、座部と背もたれとを有するものがある。そして、背もたれには、座部に対して後方に倒れるものがある。このような背もたれについては、ばね等の弾性部材により支持されることが多い。そして、背もたれをどのように倒すことができるかによって、使用者の快適さが変わる。
【０００３】
例えば、特許文献１には、反力発生部８１を有する椅子１が開示されている。反力発生部８１は、コイルばね８１１を有している。使用者が操作グリップ８２２を回転させることにより、スライダ８１２ａをコイルばね８１１の側にスライドさせる。これにより、コイルばね８１１が圧縮され、背もたれ６を後傾させる際の反力が大きくなる（特許文献１の段落［００４７］等および図３−図５等参照）。
【先行技術文献】
【特許文献】
【０００４】
【特許文献１】特開２００６−１８１１０１号公報
【発明の概要】
【発明が解決しようとする課題】
【０００５】
このように、背もたれが倒れることができる椅子では、最大傾斜のときに何らかのストッパーが背もたれの後傾を停止させる。使用者が後ろにもたれかかると、背もたれは最大傾斜の位置で急に停止する。この場合には、使用者は背もたれからある程度の衝撃を受けることとなる。このとき、使用者は多少の不快さを感じることとなる。そのため、使用者が傾斜する背もたれからほとんど衝撃を受けないことが望ましい。
【０００６】
本明細書の技術は、前述した従来の技術が有する問題点を解決するためになされたものである。すなわちその課題とするところは、使用者が後ろにもたれかかっても背もたれの最大傾斜時に使用者が背もたれから衝撃をほとんど受けないようにすることを図った椅子を提供することである。
【課題を解決するための手段】
【０００７】
第１の態様における椅子は、座部と後方に倒れることが可能な背もたれとを有する。この椅子は、座部に対する背もたれの傾斜に応じて縮む第１のコイルばねおよび第２のコイルばねを有する。また、第２のコイルばねは第１のコイルばねの内部に配置されている。そして、背もたれが第１の傾斜角で後方に倒れている場合に、第１のコイルばねおよび第２のコイルばねの一方が背もたれを支持し、背もたれが第２の傾斜角で後方に倒れている場合に、第１のコイルばねおよび第２のコイルばねの両方が背もたれを支持する。ここで、第２の傾斜角の背もたれは、第１の傾斜角の背もたれよりも後方に倒れている位置にある。
【０００８】
この椅子では、使用者がもたれかかった初期には背もたれがスムーズに後ろに倒れる。そして、この椅子の背もたれをさらに倒そうとすると、ある角度より大きい角度では反発力が大きく上昇する。したがって、使用者は、快適に椅子に座ることができる。
【０００９】
第２の態様における椅子は、背もたれの最大傾斜角で背もたれを支持するストッパーを有する。そのため、この椅子の使用にあたり、第１のコイルばねまたは第２のコイルばねの長さが密着長になるおそれがない。つまり、この椅子は、耐久性に優れている。
【発明の効果】
【００１０】
本明細書では、使用者が後ろにもたれかかっても背もたれの最大傾斜時に使用者が背もたれから衝撃をほとんど受けないようにすることを図った椅子が提供されている。
【図面の簡単な説明】
【００１１】
【図１】実施形態における椅子の概略構成を示す図である。
【図２】実施形態における椅子の背もたれ支持部を説明するための図である。
【図３】実施形態における椅子の背もたれが傾斜している場合を示す図（その１）である。
【図４】実施形態における椅子の背もたれが傾斜している場合を示す図（その２）である。
【図５】実施形態における椅子の背もたれが傾斜している場合を示す図（その３）である。
【図６】実施形態の椅子における背もたれの傾斜角とその傾斜に対する反発力との間の関係を示すグラフである。
【図７】変形例における椅子の概略構成を示す図である。
【発明を実施するための形態】
【００１２】
以下、具体的な実施形態について、椅子を例に挙げて図を参照しつつ説明する。しかし、本明細書の技術は、これらの実施形態に限定されるものではない。また、図面においては、技術を理解しやすくするためにばね等の構成要素が大きめに描かれている。
【００１３】
１．椅子
図１は、本実施形態の椅子の概略構成を示す図である。椅子１は、座部１０と、背もたれ２０と、支持軸３０と、脚部４０と、車輪５０と、回転軸６０と、軸固定部７０と、背もたれ支持部１００と、を有している。背もたれ２０は、回転軸６０を中心として回転し、後方に倒れることが可能である。そして、背もたれ２０が後方に倒れるほど、背もたれ２０の傾斜角は大きい。
【００１４】
座部１０は、使用者が座るための部材である。背もたれ２０は、使用者が背中をもたせかけるための部材である。支持軸３０は、座部１０等を支持するためのものである。脚部４０は、支持軸３０等を支持するためのものである。車輪５０は、椅子１および使用者を支持するとともに、椅子１を移動させる際に用いられるものである。回転軸６０は、背もたれ２０を傾斜させるためのものである。
【００１５】
背もたれ２０は、背もたれ部２１と連結部２２とを有している。背もたれ部２１は、使用者が実際にもたれる部分である。連結部２２は、背もたれ２０を座部１０に連結するためのものである。連結部２２は、回転軸６０により座部１０に対して回動することができるようになっている。つまり、使用者が背もたれ２０にもたれかかったときに、固定された座部１０に対して背もたれ２０が後方に倒れかかることができるようになっている。後述するように、軸固定部７０は、背もたれ支持部１００を支持するともに座部１０に固定するためのものである。
【００１６】
２．背もたれ支持部
背もたれ支持部１００は、第１のコイルばね１１０と、第２のコイルばね１２０と、軸１３０と、ナット１４０と、上蓋１５０と、下蓋１６０と、を有する支持装置である。第１のコイルばね１１０および第２のコイルばね１２０は、座部１０に対する背もたれ２０の傾斜に応じて縮む。つまり、背もたれ２０が後方に傾斜するほど、第１のコイルばね１１０および第２のコイルばね１２０は縮む。第２のコイルばね１２０は、第１のコイルばね１１０の内部に配置されている。
【００１７】
軸１３０およびナット１４０は、第１のコイルばね１１０および第２のコイルばね１２０の内側に位置するとともに、軸固定部７０を介して座部１０に対して固定されるものである。そのため、軸１３０およびナット１４０は、座部１０に対して固定されている。そして、背もたれ２０が後方に倒れかかったとしても、軸１３０およびナット１４０は、座部１０に対して固定された状態にある。
【００１８】
上蓋１５０および下蓋１６０は、その内部に第１のコイルばね１１０および第２のコイルばね１２０を収容するためのものである。下蓋１６０は、ナット１４０により軸１３０に固定されている。下蓋１６０は、第１のコイルばね１１０および第２のコイルばね１２０を支持している。上蓋１５０は、背もたれ２０の連結部２２に固定されている。そのため、背もたれ２０が後方に倒れると、静止している下蓋１６０に対して、上蓋１５０が下蓋１６０の向きに移動する。これにより、上蓋１５０および下蓋１６０は、第１のコイルばね１１０と第２のコイルばね１２０との少なくとも一方を圧縮する。その結果、背もたれ２０は、第１のコイルばね１１０および第２のコイルばね１２０から反発力を得ることができる。
【００１９】
図２は、背もたれ支持部１００の周辺を拡大した図である。図２では、背もたれ２０は、基準位置に配置されている。基準位置とは、使用者が背もたれ２０にもたれかかっていない状態の背もたれ２０の位置である。
【００２０】
第１のコイルばね１１０は、例えば、左巻きである。第２のコイルばね１２０は、例えば、右巻きである。第１のコイルばね１１０の巻き方の向きと、第２のコイルばね１２０の巻き方の向きとは、反対である。このように、コイルの巻く向きが反対であるため、例えば、第２のコイルばね１２０のコイルの隙間に、第１のコイルばね１１０のコイルがはさまるおそれがない。もちろん、第１のコイルばね１１０の巻く向きが右巻きであり、第２のコイルばね１２０の巻く向きが左巻きであってもよい。
【００２１】
図２に示すように、第１のコイルばね１１０の長さＬ１は、第２のコイルばね１２０の長さＬ２よりも大きい。第１のコイルばね１１０の長さＬ１は、第２のコイルばね１２０の長さＬ２より長さＬ３だけ大きい。
【００２２】
そのため、背もたれ２０が基準位置に位置しているときには、第１のコイルばね１１０は、背もたれ２０を支持しているが、第２のコイルばね１２０は、背もたれ２０を支持していない。そのため、このときの第２のコイルばね１２０の長さＬ２は、取付長さのままである。第１のコイルばね１１０の長さＬ１は、取付長さよりも短い。
【００２３】
３．背もたれの傾斜
前述したように、背もたれ２０は、後方に傾斜することができるようになっている。この傾斜に際して、第１のコイルばね１１０および第２のコイルばね１２０が背もたれ２０を支持するようになっている。
【００２４】
図３は、背もたれ２０がわずかに傾斜した場合について説明するための図である。図３に背もたれ２０の第１の傾斜角θ１を示す。第１の傾斜角θ１は、鉛直方向と背もたれ２０の代表面との間の角度である。背もたれ２０の代表面は、背もたれ２０の傾斜角を定義するための平面である。例えば、背もたれ２０が曲面を有する場合には、その曲面に接する平面を代表面とすればよい。
【００２５】
このとき、第１のコイルばね１１０は、背もたれ２０の傾斜に伴って縮む。つまり、図３の第１のコイルばね１１０の長さＬ１ａは、図２の第１のコイルばね１１０の長さＬ１よりも短い。
【００２６】
一方、第２のコイルばね１２０は、この程度の背もたれ２０の傾斜角では縮まない。つまり、図３に示すように、第２のコイルばね１２０の長さは、長さＬ２のままである。
【００２７】
図４は、図３よりさらに背もたれ２０を傾斜させた場合を示す図である。図４では、第１のコイルばね１１０の長さＬ１ｂが第２のコイルばね１２０の長さＬ２とほぼ等しい。前述したように、長さＬ２は、第２のコイルばね１２０の取付長さである。つまり、図４は、第１のコイルばね１１０に加えて、第２のコイルばね１２０がちょうど背もたれ２０を支持し始める場合を示している。
【００２８】
図５は、図４よりさらに背もたれ２０を傾斜させた場合を示す図である。図５に背もたれ２０の第２の傾斜角θ２を示す。第２の傾斜角θ２は、鉛直方向と背もたれ２０の代表面との間の角度である。図５では、第１のコイルばね１１０および第２のコイルばね１２０の両方が縮んでいる。そして、第１のコイルばね１１０および第２のコイルばね１２０の両方が背もたれ２０を支持している。そのため、図５の状態における背もたれ２０を後ろに倒す際の反発力の上昇量が、図３の状態における背もたれ２０を後ろに倒す際の反発力の上昇量よりも大きい。
【００２９】
このように、背もたれ２０が第１の傾斜角で後方に倒れている場合に、第１のコイルばね１１０が背もたれ２０を支持し、背もたれ２０が第２の傾斜角で後方に倒れている場合に、第１のコイルばね１１０および第２のコイルばね１２０が背もたれ２０を支持する。ここで、第２の傾斜角θ２は、第１の傾斜角θ１よりも大きい。
【００３０】
４．背もたれの傾斜と反発力
図６は、背もたれ２０の傾斜角と、背もたれ２０の傾斜に対する反発力と、の関係を概念的に示すグラフである。図６に示すように、背もたれ２０を傾斜をさせる初期では、傾斜角は第１の領域Ｒ１の範囲内である。傾斜角の比較的小さい第１の領域Ｒ１では、傾斜に対する反発力は比較的なだらかに上昇する。背もたれ２０を傾斜をさせる終期では、傾斜角は第２の領域Ｒ２の範囲内である。傾斜角の比較的大きい第２の領域Ｒ２では、傾斜に対する反発力は比較的急激に上昇する。
【００３１】
ここで、図３の状態が第１の領域Ｒ１に該当する。図４の状態が傾斜角Ａ１の状態に該当する。図５の状態が第２の領域Ｒ２に該当する。そして、角度Ａ１のときに、反発力Ｋ１をとる。角度Ａ２のときに反発力Ｋ２をとる。
【００３２】
ここで、反発力Ｋ２の場合には、第２のコイルばね１２０の長さは、密着長になっている。つまり、第２のコイルばね１２０は、これ以上縮むことができない。したがって、角度Ａ２が最大傾斜角である。
【００３３】
ここで、使用者が椅子１を使用する場合について説明する。使用者が椅子１に座るとともに背もたれ２０にもたれかかった場合を考える。この場合には、使用者がもたれかかった初期には背もたれ２０がスムーズに後ろに倒れ、角度Ａ１よりさらに背もたれ２０を倒そうとすると、反発力が上昇する。
【００３４】
傾斜角が最大傾斜角Ａ３に近い領域では、反発力が十分に高い。そのため、背もたれ２０を最大傾斜角Ａ３まで倒した場合に、使用者が受ける衝撃を体感的に和らげることができる。このように、使用者は、始めは倒れやすく、徐々に倒れにくくなるという体感を得ることができる。そして、傾斜角が最大傾斜角Ａ３になったときに、使用者が受ける衝撃は小さい。したがって、使用者は、快適に椅子１に座ることができる。
【００３５】
また、使用者が一定の力（Ｋ２）でもたれかかった場合には、例えば、図６の傾斜角Ａ２で停止することができる。よって、使用者は、使用者にとって心地よい一定の角度で背もたれ２０を傾斜させた状態で座ることができる。この場合であっても、使用者は、始めは倒れやすく、徐々に倒れにくくなるという体感を得ることができる。
【００３６】
５．変形例
５−１．ストッパー
図７は、本実施形態の椅子の変形例を示す図である。図７に示すように、椅子は、筒部材２１０を有している。筒部材２１０は、ストッパーである。つまり、椅子の背もたれ２０がある程度傾斜した場合に、筒部材２１０が背もたれ２０を支持するとともに背もたれ２０の傾斜を停止する。つまり、第２のコイルばね１２０が密着長になる前に、背もたれ２０の傾斜を停止する。これにより、第２のコイルばね１２０は、密着長まで縮むおそれがない。したがって、第２のコイルばね１２０の耐久性が向上する。また、筒部材２１０は、第１のコイルばね１１０と第２のコイルばね１２０との間の位置に配置されている。このように、筒部材２１０は、背もたれ２０の最大傾斜角で背もたれ２０を支持する。
【００３７】
５−２．支持するコイル
本実施形態では、背もたれ２０の初期の傾斜の間（第１の領域Ｒ１）に、第１のコイルばね１１０が背もたれ２０を支持する。しかし、背もたれ２０の初期の傾斜の間（第１の領域Ｒ１）に、第１のコイルばね１１０の代わりに第２のコイルばね１２０が背もたれ２０を支持するようにしてもよい。
【００３８】
したがって、背もたれ２０が第１の傾斜角で後方に倒れている場合に、第１のコイルばね１１０および第２のコイルばね１２０の一方が背もたれ２０を支持し、背もたれ２０が第２の傾斜角で後方に倒れている場合に、第１のコイルばね１１０および第２のコイルばね１２０の両方が背もたれ２０を支持する。第２の傾斜角の背もたれ２０は、第１の傾斜角の背もたれ２０よりも後方に倒れている位置にある。
【００３９】
５−３．ばねの種類
第１のコイルばね１１０および第２のコイルばね１２０の種類は、適宜選択できる。例えば、弦巻ばねや樽ばね等から選択してよい。
【００４０】
６．本実施形態のまとめ
以上詳細に説明したように、本実施形態の椅子１は、第１のコイルばね１１０および第２のコイルばね１２０を有する。背もたれ２０が傾斜する初期には、第１のコイルばね１１０および第２のコイルばね１２０の一方が背もたれ２０を支持し、背もたれ２０が傾斜する終期には、第１のコイルばね１１０および第２のコイルばね１２０の両方が背もたれ２０を支持する。
【００４１】
なお、以上に説明した実施形態は単なる例示にすぎない。したがって当然に、その要旨を逸脱しない範囲内で種々の改良、変形が可能である。例えば、実施形態では、背もたれ２０が連結部２２を有している。しかし、背もたれ２０と座部１０との連結手段については、その他の技術を用いてもよい。また、回転軸６０についても、その他の技術を用いてもよい。
【００４２】
また、別の態様における支持装置は、第１のコイルばねと、第２のコイルばねと、を有する。第２のコイルばねは第１のコイルばねの内部に配置されている。第２のコイルばねの取付け長は、第１のコイルばねの取付け長と異なっている。
【符号の説明】
【００４３】
１…椅子
１０…座部
２０…背もたれ
２１…背もたれ部
２２…連結部
７０…軸固定部
１００…背もたれ支持部
１１０…第１のコイルばね
１２０…第２のコイルばね
１３０…軸
１４０…ナット
１５０…上蓋
１６０…下蓋
２１０…筒部材
【図１】
2019097631.tif 000003
【図２】
2019097631.tif 000004
【図３】
2019097631.tif 000005
【図４】
2019097631.tif 000006
【図５】
2019097631.tif 000007
【図６】
2019097631.tif 000008
【図７】
2019097631.tif 000009